(57)【特許請求の範囲】
【請求項１】
折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の一部に接着固定される内袋と；を備え、前記内袋の各側面部から下方に突出する部分を、底角が４５度以上の三角形状とし、前記外箱を組み立てた状態のとき、前記内袋の突出する部分が、前記外箱の一コーナーから対角の他コーナーにわたって三角形に立ち上がる立上げ部３Ａとして形成される段ボール箱において、
互いに対向する内側の底部フラップ３５、３７に関し、一方の底部フラップ３５は、前記外箱の対角線の方向とほぼ一致する傾斜縁３５ａと、この傾斜縁３５ａの先端に形成される上底縁３５ｂとを有して台形状に形成され、他方の底部フラップ３７は、前記外箱の対角線の方向とほぼ一致する傾斜縁３７ａと、この傾斜縁３７ａの先端に形成される上底縁３７ｂと、傾斜縁３７ａの基端側に形成され前記一方の底部フラップ３５の上底縁３５ｂに対向する対向縁３７ｃとを有してフラップ基端側の長方形とフラップ先端側の台形とを組み合わせた形状に形成され、
外側の底部フラップ２６、２８は、互いの先端縁が対向するように矩形状に形成され、
先に折り返された一方の底部フラップ３５に対し前記立上げ部３Ａがこの底部フラップ３５の傾斜縁３５ａに沿って折り畳まれた後、他方の底部フラップ３７が折り返される構造とし、前記立上げ部３Ａの折曲げ基端はその中央部のみが前記両傾斜縁３５ａ、３７ａ間で押さえられることを特徴とする内袋を有する段ボール箱。
【請求項２】
内袋の各側面部から下方に突出する部分は、底角が４５度の二等辺三角形状をなしていることを特徴とする請求項１記載の内袋を有する段ボール箱。
【請求項３】
折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の一部に接着固定される内袋と；を備え、前記内袋の各側面部から下方に突出する部分を、下底と斜辺とのなす角度が４５度以上で、かつ高さが第１側面部の横幅と第２側面部の横幅とを乗じて２で割った値の平方根以上の値の台形状とし、前記外箱を組み立てた状態のとき、前記内袋の突出する部分が、前記外箱の一コーナーから対角の他コーナーにわたって立ち上がる立上げ部３Ａとして形成される段ボール箱において、
互いに対向する内側の底部フラップ３５、３７に関し、一方の底部フラップ３５は、前記外箱の対角線の方向とほぼ一致する傾斜縁３５ａと、この傾斜縁３５ａの先端に形成される上底縁３５ｂとを有して台形状に形成され、他方の底部フラップ３７は、前記外箱の対角線の方向とほぼ一致する傾斜縁３７ａと、この傾斜縁３７ａの先端に形成される上底縁３７ｂと、傾斜縁３７ａの基端側に形成され前記一方の底部フラップ３５の上底縁３５ｂに対向する対向縁３７ｃとを有してフラップ基端側の長方形とフラップ先端側の台形とを組み合わせた形状に形成され、
外側の底部フラップ２６、２８は、互いの先端縁が対向するように矩形状に形成され、
先に折り返された一方の底部フラップ３５に対し前記立上げ部３Ａがこの底部フラップ３５の傾斜縁３５ａに沿って折り畳まれた後、他方の底部フラップ３７が折り返される構造とし、前記立上げ部３Ａの折曲げ基端はその中央部のみが前記両傾斜縁３５ａ、３７ａ間で押さえられることを特徴とする内袋を有する段ボール箱。
【請求項４】
内袋の各側面部から下方に突出する部分は、下底と斜辺とのなす角度がともに４５度で、かつ高さが第１側面部の横幅と第２側面部の横幅とを乗じて２で割った値の平方根である台形状をなしていることを特徴とする請求項３記載の内袋を有する段ボール箱。
【発明の詳細な説明】
【０００１】
【発明の属する技術分野】
本発明は、外箱と一体構造の内袋を有する段ボール箱に係り、特に組立ての際に、内袋の下端部に空気が残ってしまうのを防止することができる内袋を有する段ボール箱に関する。
【０００２】
【従来の技術】
一般に、段ボール箱内に液状あるいは粒粉状をなす収容物を収容する場合には、これらの収容物が段ボール箱の上下のフラップ部から漏れるおそれがあるため、段ボール箱内に内袋を配置し、収容物をこの内袋内に収容するようにしているのが通例である。
【０００３】
ところで、内袋が段ボール箱と別体構造となっている場合には、取扱いが容易でないため、両者を一体構造とする必要がある。そこで従来は、まず展開状態の段ボール箱の内面に展開状態の内袋を接着固定し、次いで展開状態の段ボール箱を折線にそって折曲げるとともに、内袋の端部を熱溶着等の方法によりシールして内袋を構成し、最後に段ボール箱の端部を連結して段ボール箱を構成する方法を採っている。
【０００４】
前記従来の段ボール箱の製造方法においては、段ボール箱を組立てる際に内袋も製造されることになるため、内袋の内部が汚れたりゴミが入るおそれがあり、また平封筒状をなす内袋を、段ボール箱を組立てる際に製造しなければならないため、製造工程上どうしても段ボール箱に不要な折線を入れざるを得ず、ためにこの折線により製品となった段ボール箱の壁面強度が低下するという問題がある。また、内袋と段ボール箱とが一部一体に組合わされることになるため、使用後内袋と段ボール箱とを分離してリサイクルを図ろうとしても、分離作業が容易でないという問題もある。
【０００５】
そこで、本発明者等は先に、例えば特開平９−２７８０３１公報に示されているように、段ボール製の外箱内に、下端が三角形状あるいは台形状をなす内袋を接着固定した内袋を有する段ボール箱およびその製造方法を提供した。
【０００６】
【発明が解決しようとする課題】
本発明者等が先に提案した内袋を有する段ボール箱は、内袋の内部が汚れたりゴミ等が入るおそれがなく、また平封筒状の内袋を用いても外箱に不要な折線を入れる必要がなく、リサイクルも容易である等、種々の利点を有している。
【０００７】
ところが、この種の段ボール箱においては、組立ての際に、内袋の下端部を折りたたんで方形の平板状とする必要があるため、その際に内袋下端の折りたたまれた部分に空気が閉じ込められ、閉じ込められた空気を抜くことができないという問題がある。
【０００８】
本発明は、かかる現況に鑑みなされたもので、段ボール箱を組立てた際に、内袋下端の折りたたまれた部分に空気が閉じ込められるおそれがない内袋を有する段ボール箱を提供することを目的とする。
【０００９】
本発明の他の目的は、段ボール箱を組立てる際に、内袋下端の折りたたみを容易なものとすることができるようにすることにある。
【００１０】
本発明の他の目的は、特に外箱の各側面部の横幅が同一寸法の正方形の段ボール箱に適用した際に、組立て作業を極めて容易なものとすることができるようにすることにある。
【００１１】
本発明のさらに他の目的は、外箱の底面形状が長方形をなす段ボール箱に適用した際に、内袋下端の折りたたみ作業を極めて容易なものとすることができるようにすることにある。
【００１２】
【課題を解決するための手段】
前記目的を達成するため本発明は、折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の一部に接着固定される内袋と；を備え、前記内袋の各側面部から下方に突出する部分を、底角が４５度以上の三角形状とし、前記外箱を組み立てた状態のとき、前記内袋の突出する部分が、前記外箱の一コーナーから対角の他コーナーにわたって三角形に立ち上がる立上げ部３Ａとして形成される段ボール箱において、互いに対向する内側の底部フラップ３５、３７に関し、一方の底部フラップ３５は、前記外箱の対角線の方向とほぼ一致する傾斜縁３５ａと、この傾斜縁３５ａの先端に形成される上底縁３５ｂとを有して台形状に形成され、他方の底部フラップ３７は、前記外箱の対角線の方向とほぼ一致する傾斜縁３７ａと、この傾斜縁３７ａの先端に形成される上底縁３７ｂと、傾斜縁３７ａの基端側に形成され前記一方の底部フラップ３５の上底縁３５ｂに対向する対向縁３７ｃとを有してフラップ基端側の長方形とフラップ先端側の台形とを組み合わせた形状に形成され、外側の底部フラップ２６、２８は、互いの先端縁が対向するように矩形状に形成され、先に折り返された一方の底部フラップ３５に対し前記立上げ部３Ａがこの底部フラップ３５の傾斜縁３５ａに沿って折り畳まれた後、他方の底部フラップ３７が折り返される構造とし、前記立上げ部３Ａの折曲げ基端はその中央部のみが前記両傾斜縁３５ａ、３７ａ間で押さえられることを特徴とする。そして、組立ての際に、内袋の下端部を、その折曲げ基端を前記傾斜縁で押さえながら内側の底部フラップの外側に配置することにより、内袋の下端部に残存していた空気を、容易かつ確実に外部に排出することが可能となる。
【００１３】
本発明はまた、内袋の各側面部から下方に突出する部分を、底角が４５度の二等辺三角形状とするようにしたことを特徴とする。そしてこれにより、内袋の底部に弛みを生じさせることなく折りたたむことが可能となり、また外箱の底面形状が正方形の場合には、折りたたんだ内袋の先端が外箱底面の外形内に収まるので、段ボール箱の組立作業が容易である。なお、外箱の底面形状が長方形の場合には、折りたたんだ内袋の先端が、一部外箱の外形から突出することになるので、この突出部分を、外箱底面側に再度折り返す必要がある。
【００１４】
本発明はまた、折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の一部に接着固定される内袋と；を備え、前記内袋の各側面部から下方に突出する部分を、下底と斜辺とのなす角度が４５度以上で、かつ高さが第１側面部の横幅と第２側面部の横幅とを乗じて２で割った値の平方根以上の値の台形状とし、前記外箱を組み立てた状態のとき、前記内袋の突出する部分が、前記外箱の一コーナーから対角の他コーナーにわたって立ち上がる立上げ部３Ａとして形成される段ボール箱において、互いに対向する内側の底部フラップ３５、３７に関し、一方の底部フラップ３５は、前記外箱の対角線の方向とほぼ一致する傾斜縁３５ａと、この傾斜縁３５ａの先端に形成される上底縁３５ｂとを有して台形状に形成され、他方の底部フラップ３７は、前記外箱の対角線の方向とほぼ一致する傾斜縁３７ａと、この傾斜縁３７ａの先端に形成される上底縁３７ｂと、傾斜縁３７ａの基端側に形成され前記一方の底部フラップ３５の上底縁３５ｂに対向する対向縁３７ｃとを有してフラップ基端側の長方形とフラップ先端側の台形とを組み合わせた形状に形成され、外側の底部フラップ２６、２８は、互いの先端縁が対向するように矩形状に形成され、先に折り返された一方の底部フラップ３５に対し前記立上げ部３Ａがこの底部フラップ３５の傾斜縁３５ａに沿って折り畳まれた後、他方の底部フラップ３７が折り返される構造とし、前記立上げ部３Ａの折曲げ基端はその中央部のみが前記両傾斜縁３５ａ、３７ａ間で押さえられることを特徴とする。そして、組立ての際に、内袋の下端部を、その折曲げ基端を前記傾斜縁で押さえながら内側の底部フラップの外側に配置することにより、内袋の下端部に残存していた空気を、容易かつ確実に外部に排出することが可能となる。
【００１５】
本発明はまた、内袋の各側面部から下方に突出する部分を、下底と斜辺とのなす角度がともに４５度で、かつ高さが第１側面部の横幅と第２側面部の横幅とを乗じて２で割った値の平方根である台形状となるようにしたことを特徴とする。そしてこれにより、内袋の底部に弛みを生じさせることなく折りたたむことが可能となり、しかも外箱の底面形状が長方形の場合にも、折りたたんだ内袋の先端が、外箱の外形から外方に突出することがない。
【００１８】
【発明の実施の形態】
以下、本発明を図面を参照して説明する。図１および図２は、本発明の第１の参考の形態に係る内袋を有する段ボール箱を示すもので、この段ボール箱１は、方形容器状に組立てられる段ボール製の外箱２と、この外箱２内に接着固定された平封筒状の内袋３とから構成されており、収容物は内袋３内に収容されるようになっている。
【００１９】
前記外箱２は、図３に示すように折線４，５，６を介し順次連結された第１側面部７，第２側面部８，第３側面部９および第４側面部１０と、第４側面部１０に折線１１を介し連結された糊代１２と、前記各側面部７，８，９，１０の上端部に折線１３，１４，１５，１６を介しそれぞれ連結された天部フラップ１７，１８，１９，２０と、前記各側面部７，８，９，１０の下端部に折線２１，２２，２３，２４を介しそれぞれ連結された底部フラップ２５，２６，２７，２８とから構成されており、前記各側面部７，８，９，１０により外箱２の周壁が構成されるとともに、前記各天部フラップ１７，１８，１９，２０により外箱２の上蓋が構成され、また前記各底部フラップ２５，２６，２７，２８により外箱２の底蓋が構成されるようになっている。そしてこの外箱２は、底面形状が正方形をなすようになっている。
【００２０】
前記各底部フラップ２５，２６，２７，２８のうち、外側に位置する２枚の底部フラップ２６，２８は、図１ないし図３に示すように、外箱２の底面を概略半分ずつ塞ぐことができる大きさの方形状をなしており、一方内側に位置する２枚の底部フラップ２５，２７は、図１ないし図５に示すように、外箱２の対角線の方向とほぼ一致する傾斜縁２５ａ，２７ａを有する台形状に形成されている。そして、これら両底部フラップ２５，２７は、図５に示すように、内側に折返して外箱２の底蓋を構成した際に、両傾斜縁２５ａ，２７ａが接触し、その間から後述する内袋３の下端部３ａが外部に引出されるようになっている。
【００２１】
すなわち、前記内袋３は、図６に示すように、例えば内面に熱可塑性プラスチックフィルムをラミネートした紙製シート材を二つ折りに折曲げ、その側縁および下縁を熱溶着して平封筒状に形成されており、その横幅Ｗ０は、前記第１側面部７の横幅Ｗ１と第２側面部８の横幅Ｗ２とを合計した値（すなわち第３側面部９の横幅Ｗ３と第４側面部１０の横幅Ｗ４とを合計した値）とほぼ同一に設定されている。また、内袋３の前記各側面部７，８，９，１０から下方に突出する下端部３ａは、底角θ１，θ２がともに４５度をなす二等辺三角形に形成されており、これにより、内袋３の下端部３ａを折りたたんで段ボール箱１の底を形成する際に、下端部３ａに弛みを生じさせることなく折りたたむことができるとともに、折りたたんだ先端部が外箱２の外形から外側に突出しないようにすることができるようになっている。なお、これについては後に詳述する。
【００２２】
このように構成された内袋３は、図７に網目を施した箇所に接着剤２９を塗布して外箱２を製造することにより、外箱２に接着固定されるようになっている。
【００２３】
次に、本参考の形態に係る段ボール箱１の製造方法について説明する。製造に際しては、図７に示すように、まず予め定められた形状にカットされた外箱２を、その内面が上面側にくるようにして配置し、この状態で、第２側面部８の周縁部，第３側面部９の周縁部および天部フラップ１８，１９の全域に接着剤２９を塗布する。そして、その上に内袋３を載置して、内袋３と両側面部８，９および両天部フラップ１８，１９とを接着固定する。
【００２４】
次いで、第４側面部１０の周縁部，天部フラップ２０の下端部および糊代１２の全域に接着剤２９を塗布するとともに、第４側面部１０を折線６位置から内袋３の上面側に折曲げて、第４側面部１０および糊代１２を内袋３に接着固定する。
【００２５】
次いで、第１側面部７の周縁部および天部フラップ１７の全域に接着剤２９を塗布するとともに、第１側面部７を折線４位置から内袋３の上面側折曲げて、第１側面部７を、内袋３および糊代１２に接着固定する。
【００２６】
以上の作業により、段ボール箱１の製造が完了するので、その後、各折線４，５，６を介して４枚の側面部７，８，９，１０を角筒状に折曲げる。
【００２７】
ところで、４枚の側面部７，８，９，１０を角筒状に折曲げると、図８に示すように、内袋３下端の三角形状をなす下端部３ａは、両斜辺を平らにする方向に広げられ、その先端が三角形に立上げられて立上げ部３Ａが形成されることになる。
【００２８】
ここで、各底角θ１，θ２はともに４５度であるので、三角形の両斜辺を平らにする方向に広げられた際に、平らに広げられた部分に弛みを生じさせることがなく、またその先端の三角形に立上げられた立上げ部３Ａを、両側面部８，９のコーナ側に折りたたむと、外箱２底部の外形から外側に突出することなく外箱２の外形内に収まることになる。これは、両側面部７，１０のコーナ側に折りたたんでも同様である。
【００２９】
この立上げ部３Ａは、従来は４枚の底部フラップ２４，２６，２７，２８を折曲げる前に折りたたまれ、したがって内袋３の下端部３ａが、完全に外箱２の底蓋の内側に位置するようにしていたが、この組立て方式の場合には、組立ての際あるいは内袋３内に収容物を収容する際に、前記立上げ部３Ａに空気が入り込み、この空気を抜くことができないという問題がある。
【００３０】
ところが、本参考の形態においては、立上げ部３Ａが内側の底部フラップ２５，２７と外側の底部フラップ２６，２８との間で挾持されることになるので、組立ての際や収容物を収容する際に、立上げ部３Ａ内に空気が入り込むおそれがなく、また組立ての際に立上げ部３Ａ内に入り込んだ空気は、完全に外部に排出することができる。
【００３１】
すなわち、図８に示すように、４枚の側面部７，８，９，１０を角筒状に折曲げて、立上げ部３Ａが形成されたならば、立上げ部３Ａを折りたたむ前に、内側の底部フラップ２５，２７をまず折曲げる。すると、両底部フラップ２５，２７は、図５に示すように、傾斜縁２５ａ，２７ａを相互に接触させた状態となり、立上げ部３Ａは、両傾斜縁２５ａ，２７ａの間から外部に引出されることになる。そこで、この立上げ部３Ａをいずれか一方の底部フラップ２５，２７の外面にそって折りたたみ、その後外側の底部フラップ２６，２８を折曲げてガムテープ等で固定する。
【００３２】
しかして、立上げ部３Ａが内側の底部フラップ２５，２７と外側の底部フラップ２６，２８との間で挾持されることになるので、組立て時に立上げ部３Ａ内に入り込んだ空気は、この挾持により完全に外部に排出することができ、また以後は空気が入り込むおそれが全くない。
【００３３】
また、立上げ部３Ａの基端部分は、その少なくとも長手方向中央部が、両傾斜縁２５ａ，２７ａで押さえられることになるので、立上げ部３Ａの折りたたみ作業を容易かつ精度よく行なうことができる。
【００３４】
図９ないし図１１は、本発明の実施の形態を示すもので、前記第１の参考の形態における底部フラップ２５，２７に代え、底部フラップ３５，３７を用いるようにしたものである。
【００３５】
すなわち、底部フラップ３５は、図９ないし図１１に示すように、前記第１の参考の形態における底部フラップ２５と同様、外箱２の対角線の方向とほぼ一致する傾斜縁３５ａおよびその先端の上底縁３５ｂを有する台形状に形成されており、一方底部フラップ３７は、図９ないし図１１に示すように、外箱２の対角線の方向とほぼ一致する傾斜縁３７ａ，その先端の上底縁３７ｂおよび前記上底縁３５ｂに対向する対向縁３７ｃを有し長方形と台形とを組合わせたような形状に形成されている。そして、これら両底部フラップ３５，３７は、図１１に示すように、内側に折返して外箱２の底蓋を構成した際に、両傾斜縁３５ａ，３７ａが接触するとともに、上底縁３５ｂと対向縁３７ｃとが接触し、これらの間から内袋３の立上げ部３Ａが外部に引出されるようになっている。なお、その他の点については、前記第１の参考の形態と同一構成となっている。
【００３６】
次に、本実施の形態の作用について説明する。
段ボール箱１の組立てに際しては、まず、４枚の側面部７，８，９，１０を角筒状に折曲げる。すると、図８に示すように、内袋３の下端部３ａに立上げ部３Ａが形成されることになる。
【００３７】
そこで、最初に底部フラップ３５を内側に折返した後、その上面側に内袋３の立上げ部３Ａを折りたたむ。そしてその後、底部フラップ３７を内側に折返すとともに、外側の底部フラップ２６，２８を内側に折曲げてガムテープ等で固定する。
【００３８】
しかして、立上げ部３Ａの基端部分は、両傾斜縁３５ａ，３７ａ間で押さえられるとともに、上底縁３５ｂと対向縁３７ｃとの間でも押さえられ、しかも両傾斜縁３５ａ，３７ａの方向と、上底縁３５ｂ，対向縁３７ｃの方向とは、く字状に屈曲しているので、立上げ部３Ａの押さえを安定させ、立上げ部３Ａへの空気の流入をより確実に防止することができる。
【００３９】
図１２ないし図１４は、本発明の第２の参考の形態を示すもので、前記第１の参考の形態における底部フラップ２５，２７に代え、底部フラップ３５，４７を用いるようにしたものである。
【００４０】
すなわち、底部フラップ４７は、図１２ないし図１４に示すように、外箱２の一辺の長さの概略半分の突出長さを有する長方形状をなしており、したがって、両底部フラップ３５，４７を内側に折曲げた状態では、底部フラップ３５の先端と底部フラップ４７とが二枚重ねに重なるようになっている。なお、その他の点については、前記第１の参考の形態と同一構成となっている。
【００４１】
次に、本参考の形態の作用について説明する。段ボール箱１の組立てに際しては、まず４枚の側面部７，８，９，１０を角筒状に折曲げる。すると、図８に示すように、内袋３の下端部３ａに立上げ部３Ａが形成されることになる。
【００４２】
そこで、最初に底部フラップ３５を内側に折返した後、その上面側に内袋３の立上げ部３Ａを折りたたむ。そしてその後、底部フラップ４７を内側に折返すとともに、外側の底部フラップ２６，２８を内側に折曲げてカムテープ等で固定する。
【００４３】
しかして、内袋３の立上げ部３Ａは、底部フラップ３５の傾斜縁３５ａにそって折りたたまれるので、立上げ部３Ａを容易かつ正確に折りたたむことができるとともに、折りたたまれた立上げ部３Ａの外側を底部フラップ４７で押さえ、さらにその外側を底部フラップ２６，２８で押さえることになるので、立上がり部３Ａの押さえをより安定させることができる。
【００４４】
ここで、底部フラップ３５先端の底部フラップ４７との重合部分は、その外側にさらに底部フラップ２６，２８が配されることになるため、三枚重ねとなって段ボール箱１の内側に突出することになるが、その突出量は極めて僅かであるので、一部の収容物を除き特に問題になることはない。
【００４５】
なお、前記各参考および実施の形態においては、内袋３の下端部３ａが、底角θ１，θ２がともに４５度の二等辺三角形状をなす場合について説明したが、底角θ１，θ２が４５度以上の三角形であれば、例えば底角θ１，θ２がともに６０度の正三角形や、底角θ１が４５度で底角θ２が６０度の三角形等でもよい。そしてこの場合には、内袋３の立上げ部３Ａを折りたたんだ際に、多少弛みが生じたりあるいは折りたたんだ先端が外箱２の外形から外側に突出したりすることはあるが、その他の点については、同様の効果が期待できる。
【００４６】
また、前記各参考および実施の形態においては、４枚の側面部７，８，９，１０の横幅Ｗ１，Ｗ２，Ｗ３，Ｗ４がすべて同一寸法である場合，すなわち外箱２の底面形状が正方形である場合について説明したが、横幅Ｗ１，Ｗ２とＷ３，Ｗ４とが異なる寸法である場合，すなわち外箱２の底面形状が長方形である場合にも、同様に適用することができる。
【００４７】
ただし、長方形の場合、内袋３の下端部３ａを、底角θ１，θ２がともに４５度の二等辺三角形状にした場合であっても、図１５に示すように、折りたたんだ立上げ部３Ａが外箱２の外形から外側に突出してしまうことになる。このため、突出した部分を再度内側に折返す必要がある。
【００４８】
図１６および図１７は、外箱２の底面形状が長方形の場合でも、内袋３下端の折りたたんだ先端部が、外箱２の外形から外側に突出することがないようにした形態を示すもので、内袋３の各側面部７，８，９，１０から下方に突出する部分を台形状に形成するようにしたものである。
【００４９】
すなわち、内袋３の各側面部７，８，９，１０から下方に突出する部分は、図１７に示すように、下底と斜辺とのなす角度θ３，θ４がともに４５度をなす台形状に形成されており、その高さＴは、第１側面部７の横幅Ｗ１と第２側面部８の横幅Ｗ２とを乗じて２で割った値の平方根と同一の値になるように設定されている。なお、その他の点については、前記第１の参考の形態と同一構成となっており、作用も同一である。
【００５０】
次に、高さＴを前述のように決定している理由について説明する。
いま、図１８に示すように、長辺の長さがＡ，短辺の長さがＢ，対角線の長さが２Ｃの長方形状をなす外箱２を考えると、前記各長さＡ，Ｂ，２Ｃの関係は、次式で与えられる。
【００５１】
【数１】
0004334102.tif 000002
【００５２】
一方、内袋３の各側面部７，８，９，１０から下方に突出する下端部３ａが所定寸法の台形状をなす場合、すなわち、図１９に示すように、下底と斜辺とのなす角度θ３，θ４がともに４５度で高さがＴの台形の場合、各側面部７，８，９，１０を角筒状に折曲げた際の対角線の位置は、折線４と上底の中点とを結んだ線分位置および折線６と上底の中点とを結んだ線分位置（図１９では折線４側のみを図示）となる。
【００５３】
ここで、図１９に示すように、上底の中点から垂線を降ろして三角形Ｚを考えると、三角形Ｚの各辺の長さは、図２０に示すように、Ｃ，Ｔ，（Ａ−Ｂ）／２となる。そして、これら各長さＣ，Ｔ，（Ａ−Ｂ）／２の関係は、次式で与えられる。
【００５４】
【数２】
0004334102.tif 000003
【００５５】
そして、この数２に前記数１を代入すると、高さＴは次式で与えられる。
【００５６】
【数３】
0004334102.tif 000004
【００５７】
以上のことから、台形の高さＴは、第１側面部７の横幅Ｗ１（すなわち長さＢ）と第２側面部８の横幅Ｗ２（すなわち長さＡ）とを乗じて２で割った値の平方根と同一の値となる。
【００５８】
内袋３の各側面部７，８，９，１０から下方に突出する下端部３ａが、前述のように寸法設定された台形状をなす場合、各側面部７，８，９，１０を角筒状に折曲げると、内袋３の台形部分は図２１に示すように折りたたまれ、折りたたまれた先端の立上げ部３Ａが外箱２の外形から外側に突出することがなくなる。
【００５９】
ここで、立上げ部３Ａ基端の折曲げ線は、図２１に符号Ｃで示す対角線の方向と同一となるので、図５に示す前記第１の参考の形態の場合と同様、この部分が底部フラップ２５の傾斜縁２５ａと底部フラップ２７の傾斜縁２７ａとの間で押さえられ、立上げ部３Ａが各底部フラップ２５，２７の外側で折りたたまれることになる。
【００６０】
しかして、内袋３の下端部３ａが台形状をなす場合にも、前記第１の参考の形態と同様の効果が期待できる。
【００６１】
なお、本形態においては、図２１に示す立上げ部３Ａにおいて、符号Ｃよりも下側の部分も上側の部分も、ともに底部フラップ２５，２７の外側に折りたたむ場合について説明したが、いずれか一方部分のみを底部フラップ２５，２７の外側に折りたたむだけでも、所期の効果は得られる。そしてその場合には、前記本発明の実施の形態における底部フラップ３５，３７や、前記第２の参考の形態における底部フラップ３５，４７も、同様に用いることができる。
【００６２】
また、本形態においては、内袋３の下端部３ａが、角度θ３，θ４がともに４５度で高さＴが数３の右辺で与えられる値となる台形状をなす場合について説明したが、角度θ３，θ４が４５度以上の台形であれば、例えば角度θ３，θ４がともに６０度の台形や、角度θ３が４５度で角度θ４が６０度の台形等でもよい。また高さＴも、数３の右辺で与えられる値以上であればよい。ただし、これらの場合には、前記三角形の場合と同様、多少弛み等が生じることになる。
【００６３】
また、本形態においては、外箱２の底面形状が長方形である場合について説明したが、数３の関係は理論的には正方形の場合にも成立するので、外箱２の底面形状が正方形の場合にも同様に適用することができる。そして、内袋３の底部を台形状にすることにより、三角形状の場合に比較して、より少ない材料で内袋３を製造することができる。反面、内袋３底部の折りたたみ方が多少複雑になるので、使用目的等に合わせ三角形と台形とを適宜選択することになる。これは、外箱２の底面形状が長方形の場合も同様である。
【００６４】
【発明の効果】
以上説明したように本発明は、折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の一部に接着固定される内袋と；を備え、前記内袋の各側面部から下方に突出する部分を、底角が４５度以上の三角形状とし、前記外箱を組み立てた状態のとき、前記内袋の突出する部分が、前記外箱の一コーナーから対角の他コーナーにわたって三角形に立ち上がる立上げ部３Ａとして形成される段ボール箱において、互いに対向する内側の底部フラップ３５、３７に関し、一方の底部フラップ３５は、前記外箱の対角線の方向とほぼ一致する傾斜縁３５ａと、この傾斜縁３５ａの先端に形成される上底縁３５ｂとを有して台形状に形成され、他方の底部フラップ３７は、前記外箱の対角線の方向とほぼ一致する傾斜縁３７ａと、この傾斜縁３７ａの先端に形成される上底縁３７ｂと、傾斜縁３７ａの基端側に形成され前記一方の底部フラップ３５の上底縁３５ｂに対向する対向縁３７ｃとを有してフラップ基端側の長方形とフラップ先端側の台形とを組み合わせた形状に形成され、外側の底部フラップ２６、２８は、互いの先端縁が対向するように矩形状に形成され、先に折り返された一方の底部フラップ３５に対し前記立上げ部３Ａがこの底部フラップ３５の傾斜縁３５ａに沿って折り畳まれた後、他方の底部フラップ３７が折り返される構造とし、前記立上げ部３Ａの折曲げ基端はその中央部のみが前記両傾斜縁３５ａ、３７ａ間で押さえられるようにしているので、組立ての際に、内袋の下端部を、その折曲げ基端を前記傾斜縁で押さえながら内側の底部フラップの外側に配置することにより、内袋の下端部に残存していた空気を、容易かつ確実に外部に排出することができる。
【００６５】
本発明はまた、内袋の各側面部から下方に突出する部分を、底角が４５度の二等辺三角形状とするようにしているので、内袋の底部に弛みを生じさせることなく折りたたむことができ、また外箱の底面形状が正方形の場合には、折りたたんだ内袋の先端が外箱底面の外形内に収まるので、段ボール箱の組立作業が容易である。なお、外箱の底面形状が長方形の場合には、折りたたんだ内袋の先端が、一部外箱の外形から突出することになるので、この突出部分を、外箱底面側に再度折り返す必要がある。
【００６６】
本発明はまた、折線を介し順次連結された第１側面部，第２側面部，第３側面部および第４側面部と、第４側面部に折線を介し連結された糊代と、前記各側面部の上下端部に折線を介しそれぞれ連結された天部フラップおよび底部フラップとを有する段ボール製の外箱と；第１側面部と第２側面部とを合わせた長さとほぼ同一の横幅を有する平封筒状に形成され、少なくとも前記各側面部の一部に接着固定される内袋と；を備え、前記内袋の各側面部から下方に突出する部分を、下底と斜辺とのなす角度が４５度以上で、かつ高さが第１側面部の横幅と第２側面部の横幅とを乗じて２で割った値の平方根以上の値の台形状とし、前記外箱を組み立てた状態のとき、前記内袋の突出する部分が、前記外箱の一コーナーから対角の他コーナーにわたって立ち上がる立上げ部３Ａとして形成される段ボール箱において、互いに対向する内側の底部フラップ３５、３７に関し、一方の底部フラップ３５は、前記外箱の対角線の方向とほぼ一致する傾斜縁３５ａと、この傾斜縁３５ａの先端に形成される上底縁３５ｂとを有して台形状に形成され、他方の底部フラップ３７は、前記外箱の対角線の方向とほぼ一致する傾斜縁３７ａと、この傾斜縁３７ａの先端に形成される上底縁３７ｂと、傾斜縁３７ａの基端側に形成され前記一方の底部フラップ３５の上底縁３５ｂに対向する対向縁３７ｃとを有してフラップ基端側の長方形とフラップ先端側の台形とを組み合わせた形状に形成され、外側の底部フラップ２６、２８は、互いの先端縁が対向するように矩形状に形成され、先に折り返された一方の底部フラップ３５に対し前記立上げ部３Ａがこの底部フラップ３５の傾斜縁３５ａに沿って折り畳まれた後、他方の底部フラップ３７が折り返される構造とし、前記立上げ部３Ａの折曲げ基端はその中央部のみが前記両傾斜縁３５ａ、３７ａ間で押さえられるようにしているので、組立ての際に、内袋の下端部を、その折曲げ基端を前記傾斜縁で押さえながら内側の底部フラップの外側に配置することにより、内袋の下端部に残存していた空気を、容易かつ確実に外部に排出することができる。
【００６７】
本発明はまた、内袋の各側面部から下方に突出する部分を、下底と斜辺とのなす角度がともに４５度で、かつ高さが第１側面部の横幅と第２側面部の横幅とを乗じて２で割った値の平方根である台形状となるようにしているので、内袋の底部に弛みを生じさせることなく折りたたむことが可能となり、しかも外箱の底面形状が長方形の場合にも、折りたたんだ内袋の先端が、外箱の外形から外方に突出することがない。
【図面の簡単な説明】
【図１】本発明の第１の参考の形態に係る内袋を有する段ボール箱を示す断面図である。
【図２】図１と同様の外観構成図である。
【図３】外箱の展開図である。
【図４】内側の両底部フラップの構造を示す説明図である。
【図５】内側の両底部フラップを内側に折曲げた状態を示す説明図である。
【図６】内袋の構成図である。
【図７】外箱と内袋との接着固定方法を示す説明図である。
【図８】外箱を角筒状に折曲げた際の内袋底部の折りたたみ状態を示す斜視図である。
【図９】本発明の実施の形態を示す図３相当図である。
【図１０】図９と同様の図４相当図である。
【図１１】図９と同様の図５相当図である。
【図１２】本発明の第２の参考の形態を示す図３相当図である。
【図１３】図１２と同様の図４相当図である。
【図１４】図１２と同様の図５相当図である。
【図１５】底面形状が長方形をなす外箱の場合に、内袋の底部を三角形状にした際の内袋底部の折りたたみ状態を示す説明図である。
【図１６】外箱の底面形状が長方形の場合でも、内袋下端の折りたたんだ先端部が、外箱の外形から外側に突出することがないようにした形態を示す図１相当図である。
【図１７】図１６の内袋の構成を示す図６相当図である。
【図１８】底面形状が長方形をなす外箱における長辺，短辺および対角線の関係を示す説明図である。
【図１９】内袋の底部を台形状にすることができる理由を示す説明図である。
【図２０】図１９の台形の高さを決定する方法を示す説明図である。
【図２１】外箱を角筒状に折曲げた際の台形状をなす内袋底部の折りたたみ状態を示す説明図である。
【図１】
0004334102.tif 000005
【図２】
0004334102.tif 000006
【図３】
0004334102.tif 000007
【図４】
0004334102.tif 000008
【図５】
0004334102.tif 000009
【図６】
0004334102.tif 000010
【図７】
0004334102.tif 000011
【図８】
0004334102.tif 000012
【図９】
0004334102.tif 000013
【図１０】
0004334102.tif 000014
【図１１】
0004334102.tif 000015
【図１２】
0004334102.tif 000016
【図１３】
0004334102.tif 000017
【図１４】
0004334102.tif 000018
【図１５】
0004334102.tif 000019
【図１６】
0004334102.tif 000020
【図１７】
0004334102.tif 000021
【図１８】
0004334102.tif 000022
【図１９】
0004334102.tif 000023
【図２０】
0004334102.tif 000024
【図２１】
0004334102.tif 000025